(57)【要約】  【課題】  物干し竿上の任意箇所に簡単に取付けることができ、また安定よく吊り下げることのできる物干しハンガーを提供する。  【解決手段】  物干し竿Ｐに吊り下げられる支持部２と、この支持部２に支持され洗濯物が掛けられる物掛け部３からなる。支持部２は、支持部本体４と、この支持部本体の上部に取付けられて物干し竿Ｐに引掛けられる吊りフック部材５と、支持部本体４の上部に吊りフック部材５と物干し竿長手方向に並ぶよう取付けられ物干し竿Ｐの周面下部に当接する竿受け部材６とを備える。物掛け部３は、その基端部１２を支持部本体４の下部側に固定し、その先端部は自由にして吊りフック部材５の存在する一側方向に延出してなる片持水平部材１３からなる。【選択図】      図２
2006334291.tif 000002
【特許請求の範囲】
【請求項１】
物干し竿に吊り下げられる支持部と、この支持部に支持され洗濯物が掛けられる物掛け部からなる物干しハンガーにおいて、
前記支持部は、支持部本体と、この支持部本体の上部に取付けられて物干し竿に引掛けられる吊りフック部材と、前記支持部本体の上部に前記吊りフック部材と物干し竿長手方向に並ぶよう取付けられ前記物干し竿の周面下部に当接する竿受け部材とを備え、
前記物掛け部は、その基端部を前記支持部本体の下部側に固定し、その先端部は自由にして前記吊りフック部材の存在する一側方向に延出してなる片持水平部材からなることを特徴とする、物干しハンガー。
【請求項２】
前記吊りフック部材は前記支持部本体の上部に回動可能に取付けられている、請求項１記載の物干しハンガー。
【請求項３】
前記支持部本体の上部に、物干し竿に交差する方向に傾斜するよう傾斜部を設け、前記吊りフック部材は前記傾斜部の傾斜上り部位と傾斜下り部位の二位置に取り替え可能に取付けている、請求項１又は２記載の物干しハンガー。
【請求項４】
前記吊りフック部材は、弾性変形可能な材料からなり、前記支持部本体の上部一側の定位置に回動可能に係合された軸部と、この軸部の外端から上向きに折曲げ延出されて前記物干し竿の周面一側外方に位置する起立辺部と、この起立辺部の上端から略水平方向に折曲げ延出されて物干し竿の周面上方を跨ぐ竿押さえ部と、この竿押さえ部の延出端部から物干し竿の周面他側外方に位置するよう折曲げ延出された係止辺部、およびこの係止辺部の延出端部から内方へ折曲されて前記支持部本体の上部他側に物干し竿長手方向に並べて設けた２つ以上の係止孔にそれぞれ係脱する係止端部と、を備えた形に形成している、請求項１記載の物干しハンガー。
【請求項５】
前記片持水平部材はバスタオルやこれに類する洗濯物を掛けられる長さに設定されている、請求項１ないし４のいずれか１項に記載の物干しハンガー。
【発明の詳細な説明】
【技術分野】
【０００１】
本発明は、物干しハンガー、詳しくは、物干し竿に対し簡単に脱着することができ、また安定よく取付けることのできる物干しハンガーに関する。
【背景技術】
【０００２】
従来、物干しハンガーとして、洗濯物が掛けられる物掛け部の上部に、物干し竿等に引掛けられる吊りフックを備えたものが一般的であり、そのほかに、例えば、図９に示すようなものもある（例えば、特許文献１参照。）。図９に示す物干しハンガーは、洗濯物が掛けられる物掛け部６０を片持ち状に支持する支持部６１が中央に断面逆Ｕ字形部６１ａを形成するとともに、一側端に突片６２を設けており、物干し竿掛け具６３に掛けられた物干し竿６４に対して支持部６１の断面逆Ｕ字形部６１ａが載せられて該断面逆Ｕ字形部６１ａに調整ネジ６５がねじ込まれるとともに、突片６２が物干し掛け具６３の下部に引掛けられることにより物干し竿６４に取付けられるようになっている。
【０００３】
【特許文献１】実用新案登録第３０８２７５３号公報
【発明の開示】
【発明が解決しようとする課題】
【０００４】
しかるに、物干し竿に吊りフックを引掛けるだけの上記物干しハンガーでは、物干し竿上で動き易くて不安定であり、とくに屋外で使用される場合は風に煽られて物干し竿から落下しやすかった。
その点、図９に示す上記物干しハンガーでは支持部６１の調整ネジ６５による物干し竿６４に対する固定作用と、突片６２の物干し竿掛け具６３に対する引掛け作用とにより物干し竿６４上で容易に動くようなことがないが、調整ネジ６５で物干し竿６４に対し取付けたり、取外したりするのに手間取るという問題がある。また、この物干しハンガーは物干し竿掛け具６３を利用して固定する構造上、物干し竿掛け具６３の存在する物干し竿６４の両端にしか取付けることができず、物干し竿６４上の長手方向中途箇所には取付け不能であるという不利がある。
【０００５】
本発明は、このような問題を解決するためになされたものであり、その目的とするところは、物干し竿上の任意箇所に簡単に取付けることができ、また安定よく吊り下げることのできる物干しハンガーを提供することにある。
【課題を解決するための手段】
【０００６】
本発明は、物干し竿に吊り下げられる支持部と、この支持部に片持ち支持され洗濯物が掛けられる物掛け部からなる物干しハンガーにおいて、前記支持部は、支持部本体と、この支持部本体の上部に取付けられて物干し竿に引掛けられる吊りフック部材と、前記支持部本体の上部に前記吊りフック部材と物干し竿長手方向に並ぶよう取付けられ前記物干し竿の周面下部に当接する竿受け部材とを備え、前記物掛け部は、その基端部を前記支持部本体の下部側に固定し、その先端部は自由にして前記吊りフック部材の存在する一側方向に延出してなる片持水平部材からなることに特徴を有するものである。
【０００７】
一つの好適な態様として、本発明による物干しハンガーは、前記吊りフック部材は前記支持部本体の上部に回動可能に取付けることができる。
また、前記支持部本体の上部に、物干し竿に交差する方向に傾斜するよう傾斜部を設け、前記吊りフック部材は前記傾斜部の傾斜上り部位と傾斜下り部位の二位置に取り替え可能に取付けることができる。
さらに、前記吊りフック部材は、弾性変形可能な材料からなり、前記支持部本体の上部一側の定位置に回動可能に係合された軸部と、この軸部の外端から上向きに折曲げ延出されて物干し竿の周面一側外方に位置する起立辺部と、この起立辺部の上端から略水平方向に折曲げ延出されて物干し竿の周面上方を跨ぐ竿押さえ部と、この竿押さえ部の延出端部から物干し竿の周面他側外方に位置するよう折曲げ延出された係止辺部、およびこの係止辺部の延出端部から内方へ折曲されて前記支持部本体の上部他側に物干し竿長手方向に並べて設けた２つ以上の係止孔にそれぞれ係脱する係止端部と、を備えた形のものに形成することができる。
【発明の効果】
【０００８】
本発明の物干しハンガーによれば、支持部に物掛け部を片持ち支持しているので、吊りフック部材を物干し竿に引掛けると、物干しハンガーの重力と、物干しハンガーの回動中心である吊りフック部材から物干しハンガーの重心までの距離の積となる自重モーメントが働き、物干し竿の下側に位置する竿受け部材が物干し竿の周面下部に押付けられて突っ張り作用を発揮する。また、支持部と物掛け部の重さによる荷重が吊りフック部材に加わって該吊りフック部材が物干し竿の周面上部に押付けられる。このように吊りフック部材が物干し竿の周面上部に押付けられることと、竿受け部材が物干し竿の周面下部に押付けられて突っ張ることとの協働作用、すなわち物干し竿に対する吊りフック部材と竿受け部材の二点支持作用により物干しハンガーは物干し竿上に動じることなく安定よく吊り下げられる。物掛け部に洗濯物が掛けられると、物干し竿に対する吊り下げ安定感が更に増すことになり、風に煽られる場合も容易に動じるようなことが無くなる。
【０００９】
吊りフック部材は物干し竿上の任意位置に簡単に引掛けることができ、また取外しも容易である。この場合、吊りフック部材を支持部本体の上部に回動可能に取付けておくと、吊りフック部材を支持部本体の上部に対し角度を自由に変えることができるため、吊りフック部材を物干し竿に引掛けるときに竿受け部材が物干し竿の下側に位置するように吊りフック部材を物干し竿にきわめて容易に引掛けることができ、またその取外しも容易である。
【００１０】
支持部本体の上部に、物干し竿に交差する方向に傾斜するよう傾斜部を設け、吊りフック部材は前記傾斜部の傾斜上り部位と傾斜下り部位の二位置に取り替え可能に取付けておくと、物干し竿が太い径の場合は吊りフック部材を傾斜上り部位に、物干し竿が細い径の場合は吊りフック部材を傾斜下り部位にそれぞれ付け替えることで対応できる。つまり、一つの物干しハンガーを外径の大小異なる二種の物干し竿にも使用できる。
【００１１】
吊りフック部材として、弾性変形可能な材料からなり、軸部、起立辺部、竿押さえ部、係止辺部、および係止端部を備えたものを使用すると、この吊りフック部材を弾性変形を介して係止端部を支持部本体の係止孔に係合させることにより物干し竿に巻き付け状態に引掛けることができるため、物干し竿からの離脱防止効果を高めることができ、また弾性変形を利用して係止端部を支持部本体の係止孔に係脱させるだけの簡単な操作により物干し竿に対し簡単に取付け、取外しすることができる。また、係止端部は支持部本体の上部他側に物干し竿長手方向に並べて設けた２つ以上の係止孔にそれぞれ係脱させるものとすることにより、外径の大小異なる物干し竿に対応できる。
【発明を実施するための最良の形態】
【００１２】
本発明の好適な実施形態を図面に基づき説明する。図１は本発明の一実施例を示す物干しハンガーの平面図、図２は図１の物干しハンガーの正面図、図３は図１の物干しハンガーを矢印Ａ方向から見た側面図である。
【００１３】
図１〜３において、物干しハンガー１は、物干し竿Ｐに吊り下げられる支持部２と、この支持部２に片持ち支持され洗濯物が掛けられる物掛け部３からなる。物干し竿Ｐは、プラスチックパイプあるいは金属パイプなどからなり、屋外や屋内に置く固定式あるいは組立式物干し台などに掛け渡されるものや、建物のベランダや庇の下面に吊り下げ固定された物干し竿掛け具に掛け渡されるものなどを対象とする。
【００１４】
支持部２は、金属パイプからなる支持部本体４と、この支持部本体４の上部に回動可能に取付けられて物干し竿Ｐに引掛けられる金属線材からなるフック形状の吊りフック部材５と、支持部本体４の上部に吊りフック部材５と物干し竿長手方向に並ぶよう取付けられ物干し竿Ｐの周面下部に当接する金属線材からなるフック形状の竿受け部材６とを備える。
【００１５】
支持部本体４は、真直ぐな金属パイプからなる垂直杆７と、金属パイプを「く」の字形状に曲げて傾斜部８ａと垂直部８ｂを有する屈曲杆８からなり、傾斜部８ａが物干し竿Ｐに交差する方向に傾斜するように屈曲杆８の垂直部８ｂと垂直杆７とを重ね合わせてリベット９等で一体的に結合してなる。図２に示すように、傾斜部８ａには傾斜上り部位８１ａと傾斜下り部位８２ａの二位置に支持孔１０，１１を設け、この支持孔１０，１１に吊りフック部材５の下端部５ａを取り替え可能に取付けている。物干し竿Ｐが太い径の場合は吊りフック部材５の下端部５ａを傾斜上り部位８１ａの係合孔１０に、物干し竿Ｐが細い径の場合は吊りフック部材５の下端部５ａを傾斜下り部位８２ａの係合孔１１にそれぞれ付け替えることで対応できるようにしてある。竿受け部材６は垂直杆７の上部に回動可能に取付けている。
【００１６】
物掛け部３は、その基端部１２を支持部本体４の下部側に固定し、その先端部は自由にして吊りフック部材５の存在する一側方向に延出してなる１本もしくは複数本（図示例では４本）の片持水平部材１３からなる。片持水平部材１３の基端部１２は、図３に示すように、金属パイプを折り曲げて上下に平行な直線部１２ａ，１２ｂを有する環状に形成してなり、その直線部１２ａ，１２ｂの長手方向中央部付近を屈曲杆８の垂直部８ｂに止めねじ１４で着脱可能に結合固定している。片持水平部材１３は金属線材を横倒しＵ字状に折り曲げてなり、その片持水平部材１３の開放端部１３ａ，１３ｂを基端部１２の直線部１２ａ，１２ｂにそれぞれ挿通させて溶接等で一体的に結合してなる。片持水平部材１３は金属線材で構成するに代えて、例えば、合成樹脂パイプなどで構成することもできる。なお、図示例では、片持水平部材１３が幅の広いバスタオルやこれに類する洗濯物が掛けられる程度の比較的長い長さに形成され、これが４本平行に所定間隔置きに並べて備えられている。
【００１７】
上記のように構成された物干しハンガー１において、吊りフック部材５を物干し竿Ｐに引掛けると、物干しハンガー１が吊りフック部材５を回動中心として竿受け部材６を物干し竿Ｐの周面下部に近づける方向に回転するよう自重モーメントが働き、竿受け部材６が物干し竿Ｐの周面下部に押付けられて突っ張り作用を発揮する。また、支持部２と物掛け部３の重さによる荷重が吊りフック部材５に加わって該吊りフック部材５が物干し竿Ｐの周面上部に押付けられる。こうした物干し竿Ｐに対する吊りフック部材５と竿受け部材６の二点支持作用により物干しハンガー１は物干し竿Ｐ上に動じることなく安定よく吊り下げられる。物掛け部３に洗濯物が掛けられると、物干し竿Ｐに対する吊り下げ安定感が更に増すことになり、風に煽られる場合も容易に動じたり、物干し竿Ｐから離脱したりするようなこともない。
【００１８】
吊りフック部材５は物干し竿Ｐ上の任意位置に簡単に引掛けることができ、また取外しも容易である。この場合、吊りフック部材５の下端部５ａを傾斜部８ａの傾斜上り部位８１ａの係合孔１０または傾斜下り部位８２ａの係合孔１１に回動可能に取付けておくと、吊りフック部材５を傾斜部８ａに対し角度を自由に変えることができるため、吊りフック部材５を物干し竿Ｐに引掛けるときに竿受け部材６が物干し竿Ｐの下側に位置するように吊りフック部材５を物干し竿Ｐにきわめて容易に引掛けることができ、またその取外しも容易である。
【００１９】
片持水平部材１３は幅の広いバスタオルやこれに類する洗濯物が掛けられる程度の比較的長い長さに形成しておくと、幅の広いバスタオルやこれに類する洗濯物も、他の洗濯物が干されている１本の物干し竿Ｐ上の狭いスペースを有効活用して省スペースにて干すことができる利点がある。
なお、図２に示すように、物干しハンガー１を物干し竿Ｐに吊り下げた状態において物掛け部３の片持水平部材１３が先端部を物干し竿Ｐに近づける少し傾斜姿勢になるように設定しておくことが、洗濯物が物掛け部３から先端部方向へずれ落ちるのを阻止できる点で好ましい。
【００２０】
図４〜７は他の実施例の物干しハンガーを示す。この実施例では、支持部２の支持部本体４の具体的構造、吊りフック部材５それ自体の形状、支持部本体４に対する吊りフック部材５、竿受け部材６の取付け手段、及び物掛け部３の基端部１２などが上記実施例のそれらと少々異なり、その他の構成は上記実施例のものとほぼ同様である。
【００２１】
すなわち、この実施例の物干しハンガー１の支持部２の支持部本体４は、図４、図５に示すように、金属パイプをＬ字形状に曲げて水平部１５ａと垂直部１５ｂを有する屈曲杆１５を２本、カラー１６で所定間隔を保持して平行に並べてリベット１７等で一体的に結合してなる。図６に示すように、物掛け部３の基端部１２は２本の金属パイプからなる直杆２０，２１を上下平行に所定間隔をおいて対向させると共にタイロッド２２，２３で一体的に連結してなる。直杆２０，２１の長手方向中央部は支持部２の屈曲杆１５，１５の垂直部１５ｂ，１５ｂに止めねじ２４で結合し、直杆２０，２１の両側に複数本の片持水平部材１３の各開放端部１３ａ，１３ｂを溶接等で固定している。竿受け部材６は円弧状に形成されて支持部２の水平部１５ａ，１５ａ間に固定されている。
【００２２】
図４〜６、図７に示すように、吊りフック部材５は、弾性変形可能な金属線材からなり、支持部本体４の上部一側の定位置、即ち一側の屈曲杆１５の水平部１５ａに竿受け部材６と並べて回動可能に係合される軸部５１と、この軸部５１の外端から上向きに折曲げ延出されて物干し竿Ｐの周面一側外方に位置する起立辺部５２と、この起立辺部５２の上端から略水平方向に折曲げ延出されて物干し竿Ｐの周面上方を跨ぐ竿押さえ部５３と、この竿押さえ部５３の延出端部から物干し竿Ｐの周面他側外方に位置するよう折曲げ延出された係止辺部５４、およびこの係止辺部５４の延出端部から内方へ折曲されて支持部本体の上部他側、即ち他側の屈曲杆１５の水平部１５ａに物干し竿長手方向に並べて設けた２つ以上の係止孔１８，１９・・・にそれぞれ係脱する係止端部５５と、を備えた形に形成している。
【００２３】
このように形成された吊りフック部材５は弾性変形を介して係止端部５５を支持部本体４の係止孔１８，１９・・・に係合させることにより、図５、図７に仮想線Ｆで示すように物干し竿Ｐに巻き付け状態に引掛けることができ、このため物干し竿Ｐから離脱するのをより確実に防止できる。また弾性変形を利用して係止端部５５を支持部本体４の係止孔１８，１９・・・に係脱させるだけの簡単な操作により物干し竿Ｐに対し簡単に取付け、取外しすることができる。
この吊りフック部材５の係止端部５５は、物干し竿Ｐが太い径の場合は軸部５１に近づく側の係止孔１８に、物干し竿Ｐの径が細くなるにつれて軸部５１から遠ざかる係止孔１９・・・にそれぞれ付け替えることにより外径の大小異なる物干し竿Ｐに対応できる。
【００２４】
なお、吊りフック部材５、支持部２、竿受け部材６など各部材は金属製に代えて、合成樹脂材料で構成するものであってもよい。
【図面の簡単な説明】
【００２５】
【図１】本発明の一実施例を示す物干しハンガーの平面図である。
【図２】図１の物干しハンガーの正面図である。
【図３】図１の物干しハンガーを矢印Ａ方向から見た側面図である。
【図４】他の実施例を示す物干しハンガーの平面図である。
【図５】図４の物干しハンガーの正面図である。
【図６】図５の物干しハンガーを矢印Ｂ方向から見た側面図である。
【図７】図５におけるＣ−Ｃ線断面図である。
【図８】図４の物干しハンガーに使用する吊りフック部材の斜視図である。
【図９】従来例の物干しハンガーの斜視図である。
【符号の説明】
【００２６】
Ｐ  物干し竿
１  物干しハンガー
２  支持部
３  物掛け部
４  支持部本体
５  吊りフック部材
６  竿受け部材
８ａ  傾斜部
８１ａ  傾斜上り部位
８２ａ  傾斜下り部位
１２  基端部
１３  片持水平部材
１８，１９・・・係止孔
５１  軸部
５２  起立辺部
５３  竿押さえ部
５４  係止辺部
５５  係止端部
【図１】
2006334291.tif 000003
【図２】
2006334291.tif 000004
【図３】
2006334291.tif 000005
【図４】
2006334291.tif 000006
【図５】
2006334291.tif 000007
【図６】
2006334291.tif 000008
【図７】
2006334291.tif 000009
【図８】
2006334291.tif 000010
【図９】
2006334291.tif 000011